(57)【特許請求の範囲】
【請求項１】
直方体状の誘電体からなる誘電体ブロックと、
該誘電体ブロックの第１の主面から対向する第２の主面に渡って形成されているとともに一列状に間隔をあけて配置された３つ以上の第１の貫通孔と、
該第１の貫通孔の内面にそれぞれ配置されており、前記第１の主面側または前記第２の主面側の一方がアース電位に接続される３つ以上の内導体と、
アース電位に接続される導体が、前記内導体と間隔をあけて前記内導体の全体を取り囲むように配置されて構成された外導体とを備え、
該外導体が、前記誘電体ブロックの前記第１の主面から前記第２の主面に渡って形成された第２の貫通孔の内面に配置された第１外導体と、前記誘電体ブロックの側面に配置された第２外導体とを有し、
複数の前記第１の貫通孔の直径が全て等しく、
前記内導体のうち列の両端に位置する内導体が、外部回路に電磁気的に接続されるとともに、
列の両端に位置する前記内導体と前記第１外導体の最も近接する部分との間隔が、他の内導体と前記第２外導体の最も近接する部分との間隔よりも小さいことを特徴とする同軸フィルタ。
【請求項２】
請求項１に記載の同軸フィルタを含むＲＦ部と、該ＲＦ部に接続されたベースバンド部とを備えることを特徴とする無線通信モジュール。
【請求項３】
請求項１に記載の同軸フィルタを含むＲＦ部と、該ＲＦ部に接続されたベースバンド部と、前記ＲＦ部に接続されたアンテナとを備えることを特徴とする無線通信機器。
【発明の詳細な説明】
【技術分野】
【０００１】
本発明は、同軸フィルタならびにそれを用いた無線通信モジュールおよび無線通信機器に関するものであり、特に、電気特性の優れた同軸フィルタならびにそれを用いた無線通信モジュールおよび無線通信機器に関するものである。
【背景技術】
【０００２】
特定の周波数の電気信号を通過させるフィルタとして、誘電体ブロックに形成した貫通孔の内面に配置した内導体と誘電体ブロックの外面に配置した外導体とで構成した同軸共振器を利用したものが知られている（例えば、特許文献１を参照。）。
【先行技術文献】
【特許文献】
【０００３】
【特許文献１】実開平１−63204号公報
【発明の概要】
【発明が解決しようとする課題】
【０００４】
しかしながら、特許文献１にて提案されたような従来の同軸フィルタは、通過帯域近傍の特に通過帯域よりも低周波側の減衰域における減衰量が不足しがちであるという問題があった。
【０００５】
本発明はこのような従来の技術における問題点に鑑みて案出されたものであり、その目的は、通過帯域近傍低周波側の減衰域における減衰量が増大した優れた電気特性を備える同軸フィルタならびにそれを用いた無線通信モジュールおよび無線通信機器を提供することにある。
【課題を解決するための手段】
【０００６】
本発明の同軸フィルタは、直方体状の誘電体からなる誘電体ブロックと、該誘電体ブロックの第１の主面から対向する第２の主面に渡って形成されているとともに一列状に間隔をあけて配置された３つ以上の第１の貫通孔と、該第１の貫通孔の内面にそれぞれ配置されており、前記第１の主面側または前記第２の主面側の一方がアース電位に接続される３
つ以上の内導体と、アース電位に接続される導体が、前記内導体と間隔をあけて前記内導体の全体を取り囲むように配置されて構成された外導体とを備え、該外導体が、前記誘電体ブロックの前記第１の主面から前記第２の主面に渡って形成された第２の貫通孔の内面に配置された第１外導体と、前記誘電体ブロックの側面に配置された第２外導体とを有し、複数の前記第１の貫通孔の直径が全て等しく、前記内導体のうち列の両端に位置する内導体が、外部回路に電磁気的に接続されるとともに、列の両端に位置する前記内導体と前記第１外導体の最も近接する部分との間隔が、他の内導体と前記第２外導体の最も近接する部分との間隔よりも小さいことを特徴とするものである。
【０００８】
本発明の無線通信モジュールは、上記各構成のいずれかの同軸フィルタを含むＲＦ部と、該ＲＦ部に接続されたベースバンド部とを備えることを特徴とするものである。
【０００９】
本発明の無線通信機器は、上記各構成のいずれかの同軸フィルタを含むＲＦ部と、該ＲＦ部に接続されたベースバンド部と、前記ＲＦ部に接続されたアンテナとを備えることを特徴とするものである。
【発明の効果】
【００１０】
上述した構成を備える本発明の同軸フィルタによれば、列の両端に位置する内導体と外導体の最も近接する部分との間隔が、他の内導体と外導体の最も近接する部分との間隔よりも小さいことから、通過帯域の特性を崩すことなく通過帯域の低周波側近傍の減衰域における減衰量を増大させることができるので、電気特性の優れた同軸フィルタを得ることができる。また、外導体が、誘電体ブロックの第１の主面から第２の主面に渡って形成された第２の貫通孔の内面に配置された第１外導体と、誘電体ブロックの側面に配置された第２外導体とを有し、複数の前記第１の貫通孔の直径が全て等しく、内導体のうち列の両端に位置する内導体が、外部回路に電磁気的に接続されるとともに、列の両端に位置する内導体と第１外導体の最も近接する部分との間隔が、他の内導体と第２外導体の最も近接する部分との間隔よりも小さいことから、小型の同軸フィルタをえることができる。
【００１２】
上述した構成を備える本発明の無線通信モジュールおよび本発明の無線通信機器によれば、電気特性の優れた同軸フィルタを利用して通信信号の濾波を行うことができるので、電気特性の優れた無線通信モジュールおよび無線通信機器を得ることができる。
【図面の簡単な説明】
【００１３】
【図１】本発明の実施の形態の第１の例の同軸フィルタを模式的に示す外観斜視図である。
【図２】図１に示す同軸フィルタの上面を模式的に示す平面図である。
【図３】図１に示す同軸フィルタの下面を模式的に示す平面図である。
【図４】本発明の実施の形態の第２の例の同軸フィルタを模式的に示す外観斜視図である。
【図５】本発明の実施の形態の第３の例の同軸フィルタの上面を模式的に示す平面図である。
【図６】本発明の実施の形態の第４の例の同軸フィルタの上面を模式的に示す平面図である。
【図７】本発明の実施の形態の第５の例の無線通信モジュールおよび無線通信機器を模式的に示すブロック図である。
【図８】本発明の実施の形態の第１の例の同軸フィルタの電気特性のシミュレーション結果を示す図である。
【図９】比較例の同軸フィルタの電気特性のシミュレーション結果を示す図である。
【発明を実施するための形態】
【００１４】
以下、本発明の同軸フィルタを添付の図面を参照しつつ詳細に説明する。
（実施の形態の第１の例）
図１は、本発明の実施の形態の第１の例の同軸フィルタを模式的に示す外観斜視図である。図２は、図１に示す同軸フィルタの上面を模式的に示す平面図である。図３は、図１に示す同軸フィルタの下面を模式的に示す平面図である。
【００１５】
本例の同軸フィルタは、図１〜図３に示すように、誘電体ブロック10と、第１の接地導体11と、第２の接地導体12と、第１，第２の端子電極41，42と、第１〜第６の貫通孔21〜26と、第１〜第３の容量電極51〜53と、第１，第２の接続電極61，62とを備えている。
【００１６】
誘電体ブロック10は直方体状の誘電体からなる。第１〜第６の貫通孔21〜26は、誘電体ブロック10の第１の主面（下面）から第２の主面（上面）に渡って誘電体ブロック10を貫通するように形成されている。第１，第２の端子電極41，42は、それぞれ矩形状の電極であり、誘電体ブロック10の下面に互いに離れて配置されている。第１の接地導体11は、誘電体ブロック10の下面の、第１，第２の端子電極41，42以外の領域のほぼ全面に渡って、第１，第２の端子電極41，42および第３，第４の貫通孔23，24と間を開けて配置されている。第２の接地導体12は、誘電体ブロック10の上面に、複数の第１の貫通孔21ａ〜21ｆ，第３〜第６の貫通孔23〜26，第１の容量電極51ａ〜51ｆ，第２の容量電極52，第３の容量電極53，第１の接続電極61，第２の接続電極62と間を開けて、その周囲を囲むように配置されている。
【００１７】
複数の第１の貫通孔21ａ〜21ｆは、一列状（この例では直線上）に互いに間隔をあけて配置されており、それぞれの内面の全体に渡って内導体（図示せず）が配置されている。それぞれの内導体は、誘電体ブロック10の下面で第１の接地導体11に接続されており、第１の接地導体11を介してアース電位に接続される。また、第１の貫通孔21ａ〜21ｆの内導体は、誘電体ブロック10の上面に第１の貫通孔21ａ〜21ｆの周囲をそれぞれ囲むように配置された第１の容量電極51ａ〜51ｆにそれぞれ接続されている。なお、複数の第１の貫通孔21ａ〜21ｆは全て円形の孔であり、孔の直径は全て等しくされている。
【００１８】
第３の貫通孔23は、列の一方端部に位置する第１の貫通孔21ａに隣り合うように配置されており、内面の全体に渡って導体（図示せず）が配置されている。第３の貫通孔23内の導体は、第１の貫通孔21ａ内の内導体と電磁界結合しているとともに、誘電体ブロック10の上面に第３の貫通孔23の周囲を囲むように配置された第２の容量電極52に接続されている。そして、第３の貫通孔23内の導体は、第２の容量電極52，第１の接続電極61および第５の貫通孔25内の導体を介して第１の端子電極41に接続されている。
【００１９】
第４の貫通孔24は、列の他方端部に位置する第１の貫通孔21ｆに隣り合うように配置されており、内面の全体に渡って導体（図示せず）が配置されている。第４の貫通孔24内の導体は、第１の貫通孔21ｆと電磁界結合しているとともに、誘電体ブロック10の上面に第４の貫通孔24の周囲を囲むように配置された第３の容量電極53に接続されている。そして、第４の貫通孔24内の導体は、第３の容量電極53，第２の接続電極62および第６の貫通孔26内の導体を介して第２の端子電極42に接続されている。
【００２０】
複数の第２の貫通孔22は、誘電体ブロック10の第１の主面から第２の主面に渡って誘電体ブロック10を貫通するように形成されており、複数の第１の貫通孔21ａ〜21ｆと間隔をあけて第１の貫通孔21ａ〜21ｆの全体を取り囲むように配置されている。さらに詳細には、誘電体ブロック10の上面および下面における、複数の第１の貫通孔21ａ〜21ｆのそれぞれについての、第１の貫通孔の開口より大きく、第１の貫通孔の開口の中心を中心とし、隣り合う第１の貫通孔の間隔よりも小さい半径を有するとともに互いに重なり合う円を合体させた図形の周縁上に位置するように配置されている。また、それぞれの第２の貫通孔22の内面の全体に渡って導体（図示せず）が配置されている。それぞれの第２の貫通孔22内の導体は、第１および第２の接地導体11，12に接続されており、第１の接地導体11を介してアース電位に接続される。このようにして、複数の第１の貫通孔21ａ〜21ｆ内にそれぞれ配置された複数の内導体と間隔をあけて複数の内導体の全体を取り囲むように配置された複数の第２の貫通孔22内の導体によって外導体が構成されている。
【００２１】
本例の同軸フィルタにおいては、複数の第１の貫通孔21ａ〜21ｆ内の内導体のそれぞれと、その周囲を囲むように配置された複数の第２の貫通孔22内の導体によって構成された外導体とによって、それぞれ特定の周波数で共振する複数の同軸共振器が構成されている。そして、複数の同軸共振器が互いに電磁界結合するように配置されていることにより、第１の端子電極41と第２の端子電極42との間に、特定の周波数の電気信号を選択的に通過させる同軸フィルタが構成されている。なお、隣り合う第２の貫通孔22同士の間隔は、それぞれの同軸共振器の共振周波数の波長の１／４以下の間隔で配置されている。
【００２２】
また、本例の同軸フィルタにおいては、第１の貫通孔21ａ〜21ｆの内面にそれぞれ配置された内導体が一列状に３つ以上（この場合は６つ）配置されている。また、複数の第１の貫通孔21ａ〜21ｆは全て断面が円形の孔であり、孔の直径は全て等しくされている。さらに、列の一方端に位置する第１の貫通孔21ａの内面に配置された内導体が、第３の貫通孔23内に配置された導体，第２の容量電極52，第１の接続電極61，第５の貫通孔25の内面に配置された導体および第１の端子電極41を介して外部回路に電磁気的に接続されている。またさらに、列の他方端に位置する第１の貫通孔21ｆの内面に配置された内導体が、第４の貫通孔24内に配置された導体，第３の容量電極53，第２の接続電極62，第６の貫通孔26の内面に配置された導体および第２の端子電極42を介して外部回路に電磁気的に接続されている。そして、列の両端に位置する第１の貫通孔21ａ，21ｆの内面に配置された内導体において、内導体と外導体の最も近接する部分との間隔が他の内導体よりも小さくされている。このような構成を備える本例の同軸フィルタによれば、過帯域の低周波側近傍の減衰域における減衰量をさらに増大させることができるので、電気特性のさらに優れた同軸フィルタを得ることができる。
【００２３】
このように、複数の内導体のうち一部の内導体において、内導体と外導体の最も近接する部分との間隔を他の内導体よりも小さくすることにより、過帯域の低周波側近傍の減衰域における減衰量を増大させる効果が得られるメカニズムについては明確に特定できていないが、内導体と外導体の最も近接する部分との間隔が他の内導体よりも小さくされた同軸共振器において、第２の共振モード（高次モードのうちで最も共振周波数が低い共振モード）の共振周波数が高周波側にシフトすることが主な原因の１つであると考えられる。また、本発明者の検討によると、一列状に配置された内導体のうち、どの内導体において内導体と外導体の最も近接する部分との間隔を他の内導体よりも小さくするかによって、通過帯域低周波側近傍の減衰量の増加量が異なり、外部回路に電磁気的に接続される列の両端に位置する内導体が、過帯域の低周波側近傍の減衰域における減衰量を増大させる効果が最も大きいことが確認されている。よって、通過帯域の特性を悪化させることなく通過帯域の低周波側近傍の減衰量を大きく改善するためには、外部回路に電磁気的に接続される列の両端に位置する内導体において、内導体と外導体の最も近接する部分との間隔を他の内導体よりも小さくするのが望ましい。また、隣接する内導体同士の電磁気的な結合を維持したままで、内導体を大きくすることによって内導体と外導体の最も近接する部分との間隔を小さくすると、第１の貫通孔21ａ〜21ｆの互いに隣接する孔同士の間隔が小さくなって機械的強度が低下する問題が生じてしまう。よって、第１の貫通孔21ａ〜21ｆの直径は全て等しく設定し、外導体を内導体に近づけることによって内導体と外導体の最も近接する部分との間隔を小さくすることが必要となる。
【００２４】
また、本例の同軸フィルタによれば、複数の第２の貫通孔22の内面に配置された導体によって、同軸フィルタを構成する外導体が構成されている。よって、誘電体ブロック10の側面以外の部分に外導体を配置することができるので、構造の自由度が大きい同軸フィルタを得ることができる。このとき、複数の第２の貫通孔22は、同軸フィルタを構成する同軸共振器の共振周波数の波長の１／４以下の間隔で配置されるのが望ましく、波長の１／８以下の間隔で配置するのがさらに望ましい。これにより電磁界の漏洩を低減できるので、同軸フィルタの外導体として良好に機能させることができる。
【００２５】
また、外導体を構成する導体が内面に配置される複数の第２の貫通孔22は、第１の貫通孔21ａ〜21ｆの全体を取り囲むように、誘電体ブロック10の上面および下面における、第１の貫通孔21ａ〜21ｆのそれぞれについての、第１の貫通孔の開口より大きく、第１の貫通孔の開口の中心を中心とし、隣り合う第１の貫通孔の間隔よりも小さい半径を有するとともに互いに重なり合う円を合体させた図形の周縁上に位置するように配置されているのが望ましい。このような配置とすることにより、第１の貫通孔21ａ〜21ｆの周囲を矩形上に囲むように複数の第２の貫通孔22を配置する場合と比較して共振器のＱ値を向上させることができることが本発明者のシミュレーションによる検討によりわかった。この現象のメカニズムは未だ明らかになっていないが、電磁界の分布が均一になるからではないかと推測できる。
【００２６】
本例の同軸フィルタにおいて、誘電体ブロック10の材質としては、例えばエポキシ樹脂等の樹脂や例えば誘電体セラミックス等のセラミックスを用いることができる。例えば、ＢａＴｉＯ３，Ｐｂ４Ｆｅ２Ｎｂ２Ｏ１２，ＴｉＯ２等の誘電体セラミック材料と、Ｂ２Ｏ３，ＳｉＯ２，Ａｌ２Ｏ３，ＺｎＯ等を含有するのガラス材料とからなり、800〜1200℃程度の比較的低い温度で焼成が可能なガラス−セラミック材料が好適に用いられる。
【００２７】
前述した各種の電極および導体の材質としては、例えば、Ａｇ，Ａｇ−Ｐｄ，Ａｇ−Ｐｔ等のＡｇ合金を主成分とする導電材料やＣｕ系，Ｗ系，Ｍｏ系，Ｐｄ系導電材料等が好適に用いられる。各種の電極および導体の厚みは、例えば0.001〜0.2ｍｍに設定される。
（実施の形態の第２の例）
図４は、本発明の実施の形態の第２の例の同軸フィルタを模式的に示す外観斜視図である。なお、本例については、前述した実施の形態の第１の例と異なる点のみについて説明し、同様の構成要素については同一の参照符号を用いて重複する説明を省略する。
【００２８】
本例の同軸フィルタは、図４に示すように、誘電体ブロック10の下面に配置された第１の接地導体11と上面に配置された第２の接地導体12とを接続する第３の接地導体13が、誘電体ブロック10の４つの側面全体に渡って配置されている。このような構成を備える本例の同軸フィルタによれば、第２の接地導体12をさらにアース電位に近づけることができる。また、複数の第２の貫通孔22の内面にそれぞれ配置された導体で構成された外導体の間を通過する周波数の高い微弱な電磁波を遮蔽することもできるので、電磁気的な遮蔽性をさらに高めることができる。
（実施の形態の第３の例）
図５は、本発明の実施の形態の第３の例の同軸フィルタの上面を模式的に示す平面図である。なお、本例については、前述した実施の形態の第２の例と異なる点のみについて説明し、同様の構成要素については同一の参照符号を用いて重複する説明を省略する。
【００２９】
本例の同軸フィルタは、図５に示すように、第１の貫通孔21ｂ〜21ｅの周囲には第２の貫通孔22が形成されておらず、第５の貫通孔25および第６の貫通孔26も形成されていない。また、第１の接続電極61および第２の接続電極62も配置されていない。第２の容量電極52は誘電体ブロック10の側面に形成された第３の接続電極63を介して誘電体ブロック10の下面に配置された第１の端子電極41に接続されており、第３の容量電極53は誘電体ブロック10の側面に形成された第４の接続電極64を介して誘電体ブロック10の下面に配置された第２の端子電極42に接続されている。そして、第３の接地導体13は、第３の接続電極63，第４の接続電極64およびそれらの近傍を除いた誘電体ブロック10の側面全体に渡って配置されている。
【００３０】
本例の同軸フィルタにおいて、周囲に第２の貫通孔22が形成されていない第１の貫通孔21ｂ〜21ｅの内面に配置された内導体については誘電体ブロック10の側面に配置された第３の接地導体13の一部分が外導体として機能し、周囲に第２の貫通孔22が形成されている第１の貫通孔21ａ，21ｆの内面に配置された内導体については第２の貫通孔22の内面に配置された導体が外導体として機能する。よって、第１の貫通孔21ａ〜21ｆの内面に配置された内導体を取り囲むように配置された、複数の第２の貫通孔22の内面に配置された導体と、誘電体ブロック10の側面に配置された第３の接地導体13とによって、同軸フィルタの外導体が構成されている。
【００３１】
このような構成を備える本例の同軸フィルタによれば、実施の形態の第１の例および実施の形態の第２の例の同軸フィルタと比較して、小型の同軸フィルタを得ることができる。
（実施の形態の第４の例）
図６は、本発明の実施の形態の第４の例の同軸フィルタの上面を模式的に示す平面図である。なお、本例については、前述した実施の形態の第３の例と異なる点のみについて説明し、同様の構成要素については同一の参照符号を用いて重複する説明を省略する。
【００３２】
本例の同軸フィルタは、図６に示すように、第２の貫通孔22が全く形成されておらず、第３の接続電極63，第４の接続電極64およびそれらの近傍を除いた誘電体ブロック10の側面全体に渡って配置された第３の接地導体13が誘電体フィルタの外導体を構成している。また、第１の貫通孔21ａ，21ｆの近傍のみにおいて誘電体ブロック10の幅が小さくされており、これによって、第１の貫通孔21ａ，21ｆの内面に配置された内導体において、内導体と外導体の最も近接する部分との間隔が他の内導体よりも小さくされている。
【００３３】
このような構成を備える本例の同軸フィルタにおいても、前述した実施の形態の第３の例の同軸フィルタと同様の効果を得ることができる。なお、前述した実施の形態の第２の例，第３の例および本例の同軸フィルタにおいては、誘電体ブロック10の側面に連続した第３の接地導体13が形成されているが、誘電体ブロック10の側面に分割された複数の第３の接地導体13が互いに間隔をあけて配置されるようにしてもよい。
【００３４】
（実施の形態の第５の例）
図７は本発明の実施の形態の第５の例の無線通信モジュール84および無線通信機器85を模式的に示すブロック図である。
【００３５】
本例の無線通信モジュール80は、ベースバンド信号が処理されるベースバンド部81と、ベースバンド部81に接続されベースバンド信号の変調後および復調前のＲＦ信号が処理されるＲＦ部82とを備えている。ＲＦ部82には上述した同軸フィルタ821が含まれており、ベースバンド信号が変調されてなるＲＦ信号または受信したＲＦ信号における通信帯域以外の信号を同軸フィルタ821によって減衰させている。
【００３６】
具体的な構成としては、ベースバンド部81にはベースバンドＩＣ  811が配置され、ＲＦ部82には同軸フィルタ821とベースバンド部81との間にＲＦ  ＩＣ  822が配置されている。なお、これらの回路間には別の回路が介在していてもよい。そして、無線通信モジュール80の同軸フィルタ821にアンテナ84を接続することによってＲＦ信号の送受信がなされる本例の無線通信機器85が構成される。
【００３７】
このような構成を有する本例の無線通信モジュール80および無線通信機器85によれば、通過帯域の低周波側近傍の減衰域における減衰量が増大した優れた電気特性を備える同軸フィルタ821を用いて通信信号の濾波を行うことから、通信信号のノイズを少なくすることができるため、通信品質が高い高性能な無線通信モジュール80および無線通信機器85を得ることができる。
【実施例】
【００３８】
次に、本発明の同軸フィルタの具体例について説明する。
【００３９】
図４に示した本発明の実施の形態の第２の例の同軸フィルタの電気特性を、有限要素法を用いたシミュレーションによって算出した。そのシミュレーション結果を図８に示す。
【００４０】
なお、このシミュレーションにおいては、誘電体ブロック10を構成する誘電体の非誘電率を11.5とし、誘電正接を0.00005とした。各種電極および導体は銀とした。誘電体ブロック10は幅が25ｍｍで長さが56.4ｍｍで厚みが6.2ｍｍの直方体状とした。第１の貫通孔21ａ〜21ｆの直径は3.0ｍｍとし、第２〜第６の貫通孔22〜26の直径は１ｍｍとした。内導体と外導体の最も近接する部分との間隔は、第１の貫通孔21ａ，21ｆ内の内導体において5.5ｍｍ（第１の貫通孔21ａ，21ｆの中心と第２の貫通孔22の中心との間隔は7.5ｍｍ）とし、第１の貫通孔21ｂ〜21ｅ内の内導体において7.0ｍｍ（第１の貫通孔21ｂ〜21ｅの中心と第２の貫通孔22の中心との間隔は9.0ｍｍ）とした。
【００４１】
また、第１の貫通孔21ａ，21ｆ内の内導体における内導体と外導体の最も近接する部分との間隔を、第１の貫通孔21ｂ〜21ｅ内の内導体と同じにした比較例の同軸フィルタの電気特性をシミュレーションによって算出した。そのシミュレーション結果を図９に示す。なお、これらのシミュレーションにおいては、４つの側面が同軸フィルタの側面に接触するとともに上面が同軸フィルタの上面と５ｍｍの間隔をあけて対向するような、導体からなる矩形のシールドケースを同軸フィルタに上から被せたようなモデルでシミュレーションを行った。
【００４２】
図８および図９に示すグラフにおいて、横軸は周波数で縦軸は減衰量を表しており、同軸フィルタの通過特性（Ｓ21）を実線で示し、反射特性（Ｓ11）を破線で示している。図８に示す本発明の同軸フィルタの通過特性においては、図９に示す比較例の同軸フィルタの通過特性と比較して、通過帯域の低周波側近傍の減衰域における減衰量が５ｄＢ程度増大しており、優れた電気特性が得られていることがわかる。これにより、本発明の有効性が確認できた。
【符号の説明】
【００４３】
10：誘電体ブロック
21ａ〜21ｆ：第１の貫通孔
22：第２の貫通孔
80：無線通信モジュール
81：ベースバンド部
82：ＲＦ部
821：同軸フィルタ
84：アンテナ
85：無線通信機器
【図１】
0005479028.tif 000002
【図２】
0005479028.tif 000003
【図３】
0005479028.tif 000004
【図４】
0005479028.tif 000005
【図５】
0005479028.tif 000006
【図６】
0005479028.tif 000007
【図７】
0005479028.tif 000008
【図８】
0005479028.tif 000009
【図９】
0005479028.tif 000010